(57)【要約】  【課題】  複数の光ファイバ単心線を収納した光ファイバケーブルから光ファイバ単心線を取出す場合は、光ファイバケーブルのシースを二つに切り裂きことが必要であるが、この際、光ファイバ単心線の間にあるシースの一部が突出部として残り、光ファイバ単心線を容易に取り出すことができなかった。  【解決手段】  複数の光ファイバ単心線を集合させた集合体の中心線とシースの中心線との成す角をゼロにならない（平行でない）ように、前記集合体をシース内に配置させる。これにより、シースを二つに切り裂く際にシース表面から心線集合体へと伸展する２カ所の亀裂がそれぞれ、別の光ファイバ単心線の方向に走るため、２心の間にあるシースの一部が突出する際に、突出部が二つに裂けたシースの両側に一カ所づつにしか残らず、光ファイバ単心線の取出しを容易にすることができる。  【選択図】  図７
2006030335.tif 000002
【特許請求の範囲】
【請求項１】
複数本の光ファイバ単心線が一つの直線である集合体中心線上に配置された心線集合体と、１本以上のテンションメンバとがシースにより被覆された光ファイバケーブルであって、
前記心線集合体の断面形状における図心と前記テンションメンバの断面形状における図心は一つの直線であるシース中心線上に配置され、
前記シースは前記シース中心線に沿った方向に長い扁平形状であり、
前記集合体中心線と前記シース中心線のなす角度が０度でないことを特徴とする光ファイバケーブル。
【請求項２】
前記集合体中心線と前記シース中心線のなす角度が２４度以上９０度以下であることを特徴とする請求項１に記載の光ファイバケーブル。
【請求項３】
前記集合体中心線と前記シース中心線のなす角度が４５度以上９０度以下であることを特徴とする請求項１に記載の光ファイバケーブル。
【請求項４】
前記集合体中心線と前記シース中心線のなす角度が９０度未満であることを特徴とする請求項１から３いずれか一つに記載の光ファイバケーブル。
【発明の詳細な説明】
【技術分野】
【０００１】
本発明は、ビル建物の内外および家庭家屋の内外等において布設される光ファイバケーブルに関するものである。
【背景技術】
【０００２】
光加入者線路網の構築が進み、オフィスビル、一般家庭の家屋の内外に光ファイバケーブル（インドア・ドロップ光ケーブル・光コードを含む）が用いられるようになってきた。
これらドロップ光ファイバケーブルに関して、近年、複数の光ファイバ単心線をケーブル内に収容したものが開発されている（例えば特許文献１）。
【０００３】
一般的なドロップ光ファイバケーブルを図１に示す。図１のドロップ光ファイバケーブルは、２本の光ファイバ単心線１を集合体中心線２０上に並べた心線集合体１'の両サイドにテンションメンバ２が配置され、さらにそのテンションメンバ２の一方の外側に支持線３が配置され、これらがシース４によって首部８を介して一体に被覆されて長方形状に形成されている。この際、心線集合体１'の断面形状における図心２１（図３参照）とテンションメンバ２の断面形状における図心２２はシース中心線２３上に配置されている。また、シース４の外表面には、両表面にＶ字状のノッチ６が形成されている。
【０００４】
一方、セミが産卵時に誤ってケーブルに産卵管を差し込み、ノッチ底下にある光ファイバに傷をつけることを避けるために、シース長辺上のノッチをなくしたケーブルも開発検討されている。
このようなドロップ光ファイバケーブルを図２に示す。ドロップ光ファイバケーブル５'は、２本の光ファイバ単心線１の両サイドにテンションメンバ２が配置され、さらにそのテンションメンバ２の一方の外側に支持線３が配置され、これらがシース４によって一体に被覆されて長方形状に形成されている。この際、心線集合体１'の断面形状における図心２１（図３参照）とテンションメンバ２の断面形状における図心２２はシース中心線２３上に配置されている。このケーブルのシース４の表面には、ノッチは形成されていない。
【０００５】
これらのドロップ光ファイバケーブルは図４に示すようなシース中心線２３と直交する方向に曲がりやすい。このように曲げられた際に光ファイバ単心線１にかかる応力を緩和するため集合体中心線２０とシース中心線２３は重なるように配置する、即ち集合体中心線２０とシース中心線２３のなす角度を０度とするのが従来の技術水準であった。
【特許文献１】特開２００２-３６５４９９号公報
【発明の開示】
【発明が解決しようとする課題】
【０００６】
上述のようにシース中に複数本の光ファイバ単心線が埋め込まれて構成された光ファイバケーブルを引き裂いた場合の状態を以下に説明する。図５は例えば２心の光ファイバ単心線１を備える光ファイバケーブル５が引き裂かれた状態を示す図である。光ファイバケーブル５から光ファイバ単心線１を取出す場合は、ノッチ６がある場合はノッチ６をきっかけに、ノッチがない場合は、支持線を取り除いた光エレメント部７に対して工具等でシース上にノッチ状の切り裂き溝９（図６参照）を後付けして、この切り裂き溝９をきっかけに、光ファイバケーブル５のシース４を二つに切り裂き、光ファイバ単心線１を露出させる。しかし、この場合２心の光ファイバ単心線１の間にあるシース４の一部が突出部１５として残る場合が多い。この場合には、突出部１５が阻害要因となり光ファイバ単心線１が取出しにくい。特に低温環境下でシースが堅くなっている場合には取出し時に光ファイバ単心線１が断線してしまう場合もあった。
【０００７】
なお、近年では、上述のようにセミの産卵に対処するため、ノッチの形成されていない光ファイバケーブルが求められたり、光ファイバケーブルの端末部のみならず中間部においても光ファイバ単心線が取り出し可能なことが要求されたりして光ファイバ単心線の取り出し性については従来より高い水準が求められつつある。
【課題を解決するための手段】
【０００８】
本発明は係る点に鑑み鋭意検討の結果なされたもので、請求項１に記載の光ファイバケーブルは、複数本の光ファイバ単心線が一つの直線である集合体中心線上に配置された心線集合体と、１本以上のテンションメンバとがシースにより被覆された光ファイバケーブルであって、前記心線集合体の断面形状における図心と前記テンションメンバの断面形状における図心は一つの直線であるシース中心線上に配置され、前記シースは前記シース中心線に沿った方向に長い扁平形状であり、前記集合体中心線と前記シース中心線のなす角度が０度でないことを特徴とする。
【０００９】
請求項２に記載の光ファイバケーブルは、さらに、前記集合体中心線と前記シース中心線のなす角度が２４度以上９０度以下であることを特徴とする。
【００１０】
請求項３に記載の光ファイバケーブルは、さらに、前記集合体中心線と前記シース中心線のなす角度が４５度以上９０度以下であることを特徴とする。
【００１１】
請求項４に記載の光ファイバケーブルは、さらに、前記集合体中心線と前記シース中心線のなす角度が９０度未満であることを特徴とする。
【発明の効果】
【００１２】
請求項１に記載の光ファイバケーブルは集合体中心線とシース中心線のなす角度が０度でないため、図７に示すようにシースを二つに切り裂く際にシース表面から心線集合体へと伸展する２カ所の亀裂がそれぞれ、別の光ファイバ単心線に走るため、例えば２心ケーブルでは図８に示すように２心の間にあるシースの一部が突出する際に、突出部１５が二つに裂けたシースの両側に一カ所づつにしか残らず、光ファイバ単心線の取出し性が向上する。
【００１３】
請求項２に記載の光ファイバケーブルは、特にノッチのないタイプの光ファイバケーブルについて、光ファイバケーブル端末部において、光ファイバ単心線を取り出す場合に有効である。即ち、集合体中心線とシース中心線のなす角度が２５度以上あるため、工具等でシース上に後付したノッチ状の切り裂き傷をきっかけに端末の光ファイバケーブルのシースを二つに切り裂き、光ファイバ単心線を露出させる作業において、−３０℃〜７０℃の一般的な架空環境下で断線なく心線の取出しが可能となる。
【００１４】
請求項３に記載の光ファイバケーブルは、特にノッチのないタイプの光ファイバケーブルについて、光ファイバケーブル中間部において、光ファイバ単心線を取り出す場合に有効である。即ち、集合体中心線とシース中心線のなす角度が４５度以上あるため、光ファイバケーブル中間部での光ファイバ単心線取出し作業において、図９に示すように扁平形状のシースを長辺方向に沿って挟み込んだ上にさらにシース中央部表面に、くさび状部材を割り入れ２方向に分ける機能を持った従来の中間シース引き裂き工具を使用して−３０℃〜７０℃の一般的な架空環境下で断線なく心線の取出しが可能となる。
【００１５】
なお、例えば図９に示すように、光ファイバケーブルを長辺方向に沿って挟む場合、挟み込む方向と集合体中心線２０の方向とは一致しないことが好ましい。これは挟みこむ方向と集合体中心線２０の方向が一致する場合は、挟みこむ力により光ファイバ単心線１同士が押し合い、互いに傷付けあう場合があるからである。従って、請求項４に記載の光ハイバケーブルのように、集合体中心線とシース中心線のなす角度は９０度未満であることが好ましい。
【発明を実施するための最良の形態】
【００１６】
本発明を実施するために発明者が認識している最良の形態を以下に説明する。
図１０において、符号１〜５はそれぞれ図２に示した場合と同様に、それぞれ光ファイバ単心線、テンションメンバ、支持線、シース、光ファイバケーブルである。
【００１７】
光ファイバ単心線１は、０．１２５mmφのガラスファイバの上にUV樹脂で０．２５mmφとなるように被覆されており、テンションメンバ２は０．５ｍｍφのアラミドFRPで構成され、支持線３は１．２ｍｍφの亜鉛メッキ鋼線で構成され、シース４はノンハロゲン難燃ポリエチレンで構成されている。また、光エレメント部７は長方形状の長辺（幅方向）が３．１ｍｍ、短辺（厚さ）が２．０ｍｍに形成されている。２本の光ファイバ単心線１は集合体中心線２０上に一直線上に配置されて心線集合体１'を構成している。心線集合体の断面形状に置ける図心２１と２本のテンションメンバ２の断面形状における図心２２はシース中心線２３上に一直線上に配置されている。集合体中心線２０とシース中心線２３のなす角度αは７５度である
【実施例１】
【００１８】
本発明の実施例として集合体中心線とシース中心線のなす角度αを種々の値に変化させて心線取出し性の評価を行ったところ、表１に示す結果となった。−３０℃〜７０℃の範囲でケーブル端末から断線することなく心線取出しするためには、心線の角度を２４度〜９０度、−３０℃〜７０℃の範囲で中間部から工具を使用して、断線することなく心線取出しするためには45度以上あれば良いことがわかった。
【００１９】
【表１】
2006030335.tif 000003
【００２０】
なお、光ファイバ単心線の光伝送部分はプラスチック製や石英などのガラス製など、どのような材料のものでも良い。またテンションメンバの素材は、鋼線、FRP、繊維などどのような材料のものでも良い。シース材料はポリエチレンの他、ノンハロゲン難燃ポリエチレンなど熱可塑性樹脂が一般的であるが特に限定されるものではない。またケーブル外被上のノッチはあってもなくてもよい。ノッチがある場合でも心線集合体の複数の単心線の中心を結ぶ直線とシース長辺を平行としないことによって、ノッチ溝底から心線部へと伸展する亀裂がそれぞれ、別の心線に走り、同様な効果が得られる。
【図面の簡単な説明】
【００２１】
【図１】従来の一例を示す端面図。
【図２】従来の他の例を示す端面図
【図３】上記従来例の要部を示す説明図。
【図４】上記従来例における一例の曲がり部を示す説明図。
【図５】上記従来例のシース切り裂き状態を示す端面図
【図６】上記従来例のシース切り裂き前の状態を示す端面図。
【図７】本発明の一実施形態を示す端面図。
【図８】上記実施形態のシース切り裂き状態を示す端面図。
【図９】本発明の光ファイバケーブルのシース切り裂き例を示す説明図。
【図１０】本発明の他の実施形態例を示す端面図。
【符号の説明】
【００２２】
１  光ファイバ単心線
１'  心線集合体
２  テンションメンバ
３  支持線
４  シース
５  光ファイバケーブル
６  ノッチ
７  光エレメント部
８  首部
９  切り裂き溝
１０  2心の間にあるシースの残り部
１１  シースが伸びている部分
１２  シース表面から心線部へと伸びる亀裂
１３  工具
１４  くさび状部材
１５    突出部
２０    集合体中心線
２１    図心
２２    図心
２３    シース中心線
α    角度
【図１】
2006030335.tif 000004
【図２】
2006030335.tif 000005
【図３】
2006030335.tif 000006
【図４】
2006030335.tif 000007
【図５】
2006030335.tif 000008
【図６】
2006030335.tif 000009
【図７】
2006030335.tif 000010
【図８】
2006030335.tif 000011
【図９】
2006030335.tif 000012
【図１０】
2006030335.tif 000013